(57)【要約】【課題】音声データを再生する際、音声データの再生が終了するとアンプの通電を停止させるが、アンプへの通電を停止する際に、スピーカからポップ音が発音される。そのため、複数の音声データを続けて再生する際には、各音声データの再生終了毎にアンプへの通電が停止されポップ音が発生し、メッセージ等が聞き取りにくくなる。【解決手段】複数の音声データをアンプに入力する際の再生間隔時間ｔよりも長くなるように停止時間Ｔを設定し、音声信号の再生が停止してからこの停止時間Ｔ経過後にアンプへの通電を停止するようにした。【選択図】  図４
2005167563.tif 000002
【特許請求の範囲】
【請求項１】
複数種類の音声データを記憶する記憶手段を備え、この記憶手段から所定数の音声データを選択し、選択された音声データを順にアンプ手段に入力させ、スピーカ手段から発音させるリモコン装置において、選択された音声データの再生間隔時間より長い時間である所定時間が音声データの再生終了時から経過した時点でアンプ手段への電力供給を停止するようにしたことを特徴とするリモコン装置。
【請求項２】
上記音声データは音声合成されたものであることを特徴とする請求項１に記載のリモコン装置。
【発明の詳細な説明】
【技術分野】
【０００１】
本発明は、複数種類の音声データを記憶する記憶手段を備え、この記憶手段から所定数の音声データを選択し、選択された音声データを順にアンプ手段に入力させ、スピーカ手段から発音させるリモコン装置に関する。
【背景技術】
【０００２】
従来、リモコン装置を介して設定操作を行う際には、設定内容がリモコン装置の表示部に表示され、設定内容を視覚によって確認していた。そして近年では電子技術の発達に伴って、予め記憶手段に複数の音声データを記憶させておき、これら音声データを適宜選択し順に再生することによって設定内容を音声によって認識できるようにしたリモコン装置が知られている。
【０００３】
このようなリモコン装置では、選択された音声データはアンプ手段に入力され、そのアンプ手段で増幅されたあと、スピーカ手段に出力され、スピーカ手段から発音される。
【０００４】
一方、アンプ手段は音声信号が入力されないとスピーカ手段には信号を出力しないが、通電されているとたとえ音声信号が入力されなくてもホワイトノイズをスピーカ手段に出力する。リモコン装置が例えば浴室に設置される風呂リモコンである場合には、浴槽に入浴し浴室内が静寂になれば、スピーカ手段から発音されるホワイトノイズが気になり、入浴者が不快感を覚えるという不具合が生じる。
【０００５】
このようなホワイトノイズの発音を防止するため、アンプ手段から増幅された音声信号が出力されない状態では、別途作成されたホワイトノイズを含まない信号をスピーカー手段に出力されるように切替回路を備えたものが知られている（特許文献１参照）。
【特許文献１】特開平１１−２９８３３３号公報（請求項１）
【発明の開示】
【発明が解決しようとする課題】
【０００６】
上記特許文献１に記載された技術は、常にアンプ手段に通電しておくことを前提としているが、リモコン手段では発音しなければいけない時間は長くなく、発音が終了するとアンプ手段への通電を停止することが望ましい。
【０００７】
ただし、アンプ手段への通電を停止するとアンプ手段内でパルス状のノイズ信号が発生し、通電停止時に「プツッ」といういわゆるポップ音がスピーカ手段から発音される。上述のように、予め記憶されているいくつかの発音データを選択して順にアンプ手段に入力しているので、１個ずつの発音データの入力終了毎にアンプ手段への通電を停止すると、各発音データの最後に毎回ポップ音が発音され、発音された音声が聞き取りにくくなるという不具合が生じる。
【０００８】
そこで本発明は、上記の問題点に鑑み、複数の音声データをアンプ手段に順に入力しても発音された音声が聞き取りにくくならないリモコン装置を提供することを課題とする。
【課題を解決するための手段】
【０００９】
上記課題を解決するために本発明によるリモコン装置は、複数種類の音声データを記憶する記憶手段を備え、この記憶手段から所定数の音声データを選択し、選択された音声データを順にアンプ手段に入力させ、スピーカ手段から発音させるリモコン装置において、選択された音声データの再生間隔時間より長い時間である所定時間が音声データの再生終了時から経過した時点でアンプ手段への電力供給を停止するようにしたことを特徴とする。
【００１０】
選択された音声データの再生間隔は最大で１秒間程度ある。音声データの再生が終了してから、この再生間隔時間より長い時間、例えば１．５秒程度経過するまで電力供給を継続すると、最後の音声データが再生されるまでアンプ手段への電力供給は途中で停止されることなく継続して行われる。そのため、最初の音声データの再生開始から最後の音声データの再生が終了するまでにポップ音が発音されることがない。
【００１１】
上記音声データは音声合成されたものである場合にはポップ音が途中で発音されると特に聞き取りにくくなるので、音声データが音声合成されたものの場合には特に本発明が有用である。
【発明の効果】
【００１２】
以上の説明から明らかなように、本発明は、最初の音声データの再生開始から最後の音声データの再生終了までの間、アンプ手段への電力供給は中断することなく継続して行われるので、その間にポップ音が発音されることがなく、発音されるメッセージ等が聞き取りにくくなるという不具合が解消される。
【発明を実施するための最良の形態】
【００１３】
図１を参照して、１は浴室に設置される風呂リモコンであり、この風呂リモコン１が作動を制御する給湯装置２に対して通信線１１を介して接続されている。また、３は台所に設置された台所リモコンであり、同じく通信線１１に接続され、給湯装置２の作動を制御することができる。
【００１４】
風呂リモコン１には大型の液晶モニター４が設けられており、給湯装置２の作動制御に関する制御項目がこの液晶モニター４に表示される。また、この風呂リモコン１にはテレビ機能が備えられており、液晶モニター４にはテレビ画像が表示される。
【００１５】
図２を参照して、テレビ機能を作動させるにはテレビ側の電源スイッチ１２を押し操作する。すると、風呂リモコン１の作動状態はテレビモードになり、液晶モニター４にはテレビ画像が表示されると共に、一対のスピーカ５からテレビ音声が発音される。スピーカ５から発音されるテレビ音声の音量は音量スイッチ５１を操作することにより調節することができる。また、チャンネルスイッチ４１を操作することによりチャンネルを変更することができる。
【００１６】
一方、リモコン側の電源スイッチ１３を押し操作すると風呂リモコン１はリモコンモードになり、液晶モニター４には図示のような各種制御項目が表示される。そして中央に位置する十字スイッチ１４を操作して所定の制御項目を選択し、給湯装置２の作動を制御するように構成されている。これらの制御は風呂リモコン１に内蔵されたマイコンにより行われる。
【００１７】
図３を参照して、スピーカ５はアンプ６に接続されており、このアンプ６から出力される音声信号がスピーカ５に入力されてスピーカ５が鳴動する。このアンプ６は電源６２から電力の供給を受けて駆動するものである。この電源６２はスイッチ６１を介してアンプ６に接続されている。このスイッチ６１がオン状態になると電源６２からアンプ６へ電力が供給される。また、スイッチ６１がオフ状態になると電源６２からのアンプ６への電力供給が停止され、スピーカ５から発音されない。
【００１８】
このスイッチ６１は、風呂リモコン１に内蔵されている制御用のマイコン７に接続されており、このマイコン７からの制御信号によってオンオフされる。このマイコン７内にはメモリ７１が設けられており、メモリ７１内には音声合成された複数種類の音声データが格納されている。
【００１９】
上述のように液晶モニター４に表示された制御項目についての設定値を設定し、あるいは変更すると、その設定内容もしくは変更内容に応じた音声データがメモリ７１から選択されアンプ６に入力される。なお、このとき選択される音声データは複数あり、所定の順番で順次メモリ７１から呼び出され、順にアンプ６に入力される。なお、８はチューナであり、テレビ画像信号やマイコン７から送られてくるリモコンモードでの画像信号を液晶モニター４に出力すると共に、テレビ音声をアンプ６に出力するものである。
【００２０】
図４を参照して、マイコン７が音声データを再生してスピーカ５から発音すると判断すると、まずスイッチ６１をオン状態にしてアンプ６を作動状態にする。さらにメモリ７１内に格納されている音声データから所定の音声データを選択し、再生順番を決め、その順番にしたがって音声データをアンプ６に出力する。この音声データが圧縮された状態でメモリ７１に格納されている場合には、音声データを復元してアンプ６へ入力させる。なお、最初に入力される音声データの初音が確実にスピーカ５から発音されるように、アンプ６に電源が供給されてから最初の音声データが入力されるまでに所定時間ｓのタイムラグを設定した。
【００２１】
上述のように、複数の音声データがアンプ６に順次入力されるが、各音声データは連結してアンプ６に入力されるのではないので、各音声データ間には再生間隔時間ｔが発生する。この再生間隔時間ｔは必ずしも一定ではないが、最大でも１秒程度である。そのため、発音されるメッセージ等の間隔が開きすぎて不自然になるという不具合はない。
【００２２】
最後の音声データの再生が終了すると、アンプ６への電源供給を停止するが、マイコン７内のソフトウエアには、この再生間隔時間ｔよりも長い停止時間Ｔが経過した時点でスイッチ６１をオフ状態にしてアンプ６への電力供給を停止するようにプログラムされている。
【００２３】
複数の音声データが続けてアンプ６に入力されている間は、アンプ６への電力供給が停止される前に次の音声データの入力が開始されるので、結果的に最後の音声データが入力されるまで電力の供給が停止することはない。そして、最後の音声データの再生が終了した時点から停止時間Ｔが経過した時点でスイッチ６１がオフ状態にされ、アンプ６への電力供給が停止される。そして、このようにアンプ６への電力が停止されると、スピーカ５からホワイトノイズが発音されることはない。
【００２４】
なお、本発明は上記した形態に限定されるものではなく、本発明の要旨を逸脱しない範囲内において種々の変更を加えてもかまわない。
【図面の簡単な説明】
【００２５】
【図１】本発明の一実施の形態の構成を示す図
【図２】風呂リモコンの詳細を示す図
【図３】風呂リモコンの内部構成を示すブロック図
【図４】音声データの再生に関するタイムチャート
【符号の説明】
【００２６】
１ 風呂リモコン
２ 給湯装置
４ 液晶モニター
５ スピーカ
６ アンプ
７ マイコン
６１ スイッチ
６２ 電源
７１ メモリ
【図１】
2005167563.tif 000003
【図２】
2005167563.tif 000004
【図３】
2005167563.tif 000005
【図４】
2005167563.tif 000006